(57)【要約】【課題】迅速且つ正確に適度な高さに調節することができ、モニターを安定してサポートすることができるモニターのサポートアームの調節構造を提供する。【解決手段】モニターとサポートアームの間にスライド式の装置があり、これを利用して上下の高さを調節するようになっている。サポートアームは固定ユニット、スライドユニット、スライド装置からなる。固定ユニットには、はめ込み槽があって、支えアームを取り付けるようになっている。その左右両側には対になった挿入接続槽があり、スライドユニットをその中にはめ込むことができる。スライド装置はモニターと結合するようになっている。【選択図】図３
0003121364.tif 000002
【実用新案登録請求の範囲】
【請求項１】
その固定ユニットは本体の高さが異なる位置に対に数個の固定穴があり、その幅はスライドユニットよりやや大きく、両側にはそれぞれ対になった挿入接続槽があって、対応するスライドユニットをその中にはめ込むことができ、
そのスライドユニットの両側は連続した凹凸状のギア固定槽になっていて、スライドユニットの後ろ側には数個の斜めに外に張り出したスプリング片があり、そのスプリング片の末端部分にはそれぞれ対になった固定穴の位置に対応する固定ほぞがあって、スライドユニットと固定ユニットが結合時にしっかり固定するようになっていて、
そのスライド装置の一方の側は組立板で、もう一方の側は外側ケースの収納空間にコントロールバー、ギア、ストッパーユニットが設置され、さらに、外側ケース両側にはそれぞれ開口部があって、
そのコントロールバーは外側ケースの一側面を貫通して、中間の支えバーによって、外側ケース一側面の対になったＵ字型槽の中にまたぐ形で固定され、コントロールバーの一端の取っ手によって、その端に連動する受け部分を通して上下に動かすようになっていて、
そのストッパーユニットは、コントロールバーの受け部分上端にあって、その両側にそれぞれ平行に伸びたストッパーがあり、その上端には圧縮スプリングがあって、外側ケースの内側にあたり、
そのギアが、対になってストッパーユニットの両側のホイールバーにはめ込まれ、その周辺のギアの歯部分はそれぞれ外側ケースの開口部からやや露出し、ストッパーユニットのストッパーに接続し、互いにかみ合ってしっかりと止める効果を発揮して、
取っ手部分を握ると、コントロールバーの一端の受け部分が、てこの原理でストッパーユニットを動かして上に押し上げ、ストッパーユニットのストッパーの束縛からギアの歯の部分が解放され、スライドユニットが自由に回転して、ギアとスライドユニットのギア固定槽がかみ合うことで、上下の高さを調節し、コントロールバーを解放すると、ストッパーユニットが圧縮スプリングの元に戻る力によって、元の位置に押し戻され、ストッパーとギアの歯部分が再び互いにかみ合い、スライドユニットをいかなる高さにも固定することができるという特長を持つ、モニターのサポートアームの調節構造。
【請求項２】
その固定ユニットの高さの異なる位置に数個のはめ込み槽があって、支えアームを取り付けるようになっている、請求項１に記載のモニターのサポートアームの調節構造。
【請求項３】
その組立板に数個の固定穴があって、モニターを固定するようになっている、請求項１に記載のモニターのサポートアームの調節構造。
【考案の詳細な説明】
【技術分野】
【０００１】
本考案はモニターのサポートアームの調節構造に関する。
【背景技術】
【０００２】
液晶テレビや液晶モニターは薄型化、軽量化が進み、公共のインフォメーション表示に利用されている。これらは、直立式、壁掛け式に関わらず、ほとんどがサポートアームによって固定されている。これらのサポートアームは、モニターを設置する目的の外、仰角や俯角、方向の調節をして閲覧や操作をしやすくするという目的がある。
従来のモニターに使用されている調節可能なサポートアームは、ネジで関節構造に固定し、調節する時にネジを緩めてサポートアームを適度な高さまで調節して、再度ネジを締めて固定するようになっている。このような「ネジ式固定」方式は、ネジを緩める際に、モニターが重みで突然落下しないように、片方の手でネジを緩めながら、もう片方の手でモニターを支える必要があるため、面倒が生じる。同時に、小さな範囲の高さの微調整がしにくい上、固定するネジは確実にしっかりと締めなければならない。
また、油圧シリンダーを採用した改良型調節可能式アームは、油圧シリンダーに支える効果があるため、「ネジ式固定」方式より調節がしやすい。しかしながら、油圧シリンダーの支え方は「一定の位置」であり、同時にネジも使用する必要がある。ネジは何度も調節する内に磨耗して、締め付ける力が衰えてくる。故に、調節するたびに、ネジが締まっているかチェックするという問題が生じる。
【考案の開示】
【考案が解決しようとする課題】
【０００３】
本考案の目的は、モニターとサポートアームの間にスライド式の装置があり、これを利用して上下の高さを調節することで設置しやすいという特長を持つモニターのサポートアームの調節構造を提供することを課題とする。
【課題を解決するための手段】
【０００４】
本考案のモニターのサポートアームの調節構造は、モニターとサポートアームの間に、スライド式の装置があり、これを利用して上下の高さを調節するようになっている。本考案のサポートアームは固定ユニット、スライドユニット、スライド装置からなる。固定ユニットには、はめ込み槽があって、支えアームを取り付けるようになっている。その左右両側には対になった挿入接続槽があり、スライドユニットをその中にはめ込むことができる。スライド装置はモニターと結合するようになっている。
使用者がモニター両側を持った時、ちょうどコントロールバーを動かす形になり、ギアの歯部分がストッパーの束縛から解放されて自由に回転する。このようにして、モニターに連結するスライド装置及びスライドユニットのギア固定槽がかみ合うことで、迅速且つ正確に適度な高さに調節することができる。同時に、小さな間隔の微調整も可能で、コントロールバーを解放すると、再びストッパーユニットに固定され、モニターを安定してサポートする。したがって、本考案のサポートアームは、シンプルな構造、軽量、操作が簡単であるという特長を持つ。
【考案の効果】
【０００５】
本考案のモニターのサポートアームの調節構造は、スライド式の機構を利用して、迅速且つ正確に適度な位置まで調節でき、小さな間隔の微調整も可能であるという特長を持つ。
また、本考案のモニターのサポートアームの調節構造は、シンプルな構造、軽量、操作が簡単であるという特長を持つ。
【考案を実施するための最良の形態】
【０００６】
図１及び図２を参照いただきたい。本考案のモニターのサポートアームの調節構造は、固定ユニット１、スライドユニット２、そして、スライド装置３からなる。
【０００７】
さらに、図３、図４を合わせて参照いただきたい。固定ユニット１は本体の高さが異なる位置に対に数個の固定穴１１があり、数個の高さが異なる位置にはめ込み槽１２があって、支えアーム４（図６を参照）を取り付けるようになっている。また、固定ユニット１両側には対になった挿入接続槽１３があり、それはスライドユニット２よりやや幅が広くなっていて、スライドユニット２をその中にはめ込むことができる。スライドユニット２の両側は連続した凹凸状のギア固定槽２１になっていて、スライドユニット２の後ろ側には数個の斜めに外に張り出したスプリング片２２がある。同時に、スプリング片２２の末端部分にはそれぞれ対になった固定穴１１の位置に対応する固定ほぞ２１があって、スライドユニット２と固定ユニット１が結合時にしっかり固定するようになっている。
【０００８】
図３及び図５を参照いただきたい。スライド装置３の一方の側は組立板３１で、その組立板３１には数個の固定穴３１１があって、モニター５（図８を参照）を固定するようになっている。さらに、もう一方の側は外側ケース３２の収納空間にコントロールバー３３、ギア３４、ストッパーユニット３５が設置される。さらに、外側ケース３２両側にはそれぞれ開口部３２１がある。コントロールバー３３は外側ケース３２の一側面を貫通する。中間の支えバー３３１によって、外側ケース３２一側面の対になったＵ字型槽３２２の中にまたぐ形で固定される。コントロールバー３３の一端の取っ手３３２によって、その端に連動する受け部分３３３により、上下に動かすようになっている。ストッパーユニット３５は、コントロールバー３３の受け部分３３３上端にあって、その両側にそれぞれ平行に伸びたストッパー３５１がある。また、圧縮スプリング３６がストッパーユニット３５と外側ケース３２の間にあって、通常はストッパーユニット３５が圧縮スプリング３６の弾力に受けて固定されている。ギア３４はホイールバー３７にはめ込まれていて、対になってストッパーユニット３５の両側に設置される。ギアの歯部分３４１はそれぞれ外側ケース３２の開口部３２１からやや露出し、ストッパーユニット３５のストッパー３５１に接続し、互いにかみ合ってしっかりと止める効果を発揮する。
【０００９】
図５、図６を参照いただきたい。上述のスライドユニット２は固定ユニット１の端からはめ込み、スライドユニット２のスプリング片２２が固定ユニット１の空間的制限を受けて圧迫されて内側に収縮する。スライドユニット２と固定ユニット１が完全に結合すると、スプリング片２２が固定ユニット１の固定穴１１の位置に入り込み、スプリング片２２のその戻る力によって固定ほぞ２２１を固定穴１１の中に押し出して固定する。スライドユニット２と固定ユニット１は互いに結合して一体となる。また、モニター５はあらかじめスライド装置３の組立板３１（図５を参照）に取り付けてある。
【００１０】
さらに、図６から図９までを参照いただきたい。スライド装置３とモニター５が接続した後、コントロールバー３３がスライド装置３から横に伸びてモニター５の側面近くまで来る。使用者がモニター５両側を持った時、ちょうど取っ手３３２（図６を参照）を握る形になる。さらに、末端の受け部分３３３がてこの原理でストッパーユニット３５を動かして上に押し上げ、圧縮スプリング３６（図８を参照）にあたる。それと同時に、ギア３４がギアの歯部分３４１とストッパー３５１の束縛から解放されて自由に回転する。このようにして、モニター５に連結するスライド装置３及びスライドユニット２のギア固定槽２１がかみ合うことで、上下の高さ（図９を参照）を調節するのである。使用者がコントロールバー３３を解放すると、ストッパーユニット３５が圧縮スプリング３６の元に戻る力によって、元の位置に押し戻され、ストッパー３５１とギア３４のギアの歯部分３４１が再び互いにかみ合って止まる（図７を参照）ようになっている。そして、モニター５をスライドユニット２のいかなる高さにも固定することができる。
【００１１】
このように、本考案のモニターのサポートアームの調節構造は、コントロールバーを操作することによって、迅速且つ正確に適度な高さに調節することが可能で、さらに、しっかりと固定するためモニターを安全に使用できるという効果がある。
【図面の簡単な説明】
【００１２】
【図１】本考案の外観構造立体図である。
【図２】図１をもう一方の角度から見た立体図である。
【図３】本考案の構造を示した立体分解図である。
【図４】本考案のサポートアームとスライドユニットを組み合わせる状態を示した図である。
【図５】本考案のスライドパーツとモニターを組み合わせる状態を示した図である。
【図６】本考案のサポートアームとモニターを組み合わせる状態を示した図である。
【図７】本考案のスライド装置の内部構造の断面図である。
【図８】本考案のスライド装置の実施状態を示した図である。
【図９】本考案のスライド装置のもう一つの実施状態を示した図である。
【図１０】本考案のサポートアームと液晶モニターを組み合わせた実施例の見取り図である。
【符号の説明】
【００１３】
１          固定ユニット
１１        固定穴
１２        はめ込み槽
１３        挿入接続槽
２          スライドユニット
２１        ギア固定槽
２２        スプリング片
２２１      固定ほぞ
３          スライド装置
３１        組立板
３１１      固定穴
３２        外側ケース
３２１      開口部
３２２      Ｕ字型槽
３３        コントロールバー
３３１      支えバー
３３２      取っ手
３３３      受け部分
３４        ギア
３４１      ギアの歯部分 
３５        ストッパーユニット
３５１      ストッパー
３６        圧縮スプリング
３７        ホイールバー
４          支えアーム
５          モニター
【図１】
0003121364.tif 000003
【図２】
0003121364.tif 000004
【図３】
0003121364.tif 000005
【図４】
0003121364.tif 000006
【図５】
0003121364.tif 000007
【図６】
0003121364.tif 000008
【図７】
0003121364.tif 000009
【図８】
0003121364.tif 000010
【図９】
0003121364.tif 000011
【図１０】
0003121364.tif 000012